(57)【要約】【課題】光量分布の均一性が高い照明光を得ることができるミラー付ランプを提供する。【解決手段】主反射ミラー２０に当らない光の一部は、主反射ミラー２０の外径ｂより僅かに大きな内径ａを有するリングリフレクタ３０で反射された後、主反射ミラー２０の中心点２５と発光管１０の発光点１５とを結ぶ軸上に配置されるとともに、主反射ミラー２０の中心点２５と発光点１５とを結ぶ軸方向から見た発光管１０の投影面の直径にほぼ等しい直径を有するセンタリフレクタ４０で主反射ミラー２０の反射方向と同じ方向へ反射される。【選択図】　　　図１
2004063117.tif 000002
【特許請求の範囲】
【請求項１】
発光管の発光点からの光を反射させるための主反射ミラーを備えているミラー付ランプにおいて、
前記主反射ミラーに当らない光の一部を反射させる第１サブミラーと、
前記第１サブミラーで反射された光を前記主反射ミラーの反射方向と同じ方向へ反射させる第２サブミラーと
を備えていることを特徴とするミラー付ランプ。
【請求項２】
前記第１サブミラーはリング状であることを特徴とする請求項１記載のミラー付ランプ。
【請求項３】
前記第２サブミラーは前記主反射ミラーの中心点と前記発光点とを結ぶ軸上に配置されていることを特徴とする請求項１又は２記載のミラー付ランプ。
【請求項４】
前記第２サブミラーの直径は前記主反射ミラーの中心点と前記発光点とを結ぶ軸方向から見た前記発光管の投影面の直径にほぼ等しいことを特徴とする請求項１〜３のいずれか１項記載のミラー付ランプ。
【発明の詳細な説明】
【０００１】
【発明の属する技術分野】
この発明はミラー付ランプに関する。
【０００２】
【従来の技術】
光量損失を抑制するため、発光管の発光点からの光を反射させるための主反射ミラーを備えるミラー付ランプは広く知られている。
【０００３】
図５は従来のミラー付ランプの構成を説明する図である。
【０００４】
このミラー付ランプは発光管５１０と主反射ミラー５２０とを備えている。
【０００５】
発光管５１０の両端は口金５１１，５１２によって密閉されており、それぞれの口金５１１，５１２から発光点５１５に向かって電極（図示せず）が延びている。また、電極は図示しない配線ケーブルを介して電源に接続されている。
【０００６】
発光管５１０は主反射ミラー５２０の反射面５２１と開口面５２２とで形成される空間内に、発光管５１０の長手方向（電極が延びる方向）が主反射ミラー５２０の中心点５２５を通るように配置されている。
【０００７】
主反射ミラー５２０は発光管５１０の発光点５１５からの光を反射させる。
【０００８】
このミラー付ランプを点灯したとき、発光点５１５から出た光は、図５の矢印に示すように反射面５２１で反射され平行光となる。
【０００９】
図６は従来の他のミラー付ランプの構成を説明する図であり、図５と共通する部分には同一符号を付してその説明を省略する。
【００１０】
このミラー付ランプは発光管５１０と主反射ミラー６２０とを備えている。
【００１１】
発光管５１０は主反射ミラー６２０の反射面６２１と開口面６２２とで形成される空間内に、発光管５１０の長手方向（電極が延びる方向）が主反射ミラー６２０の中心点６２５を通るように配置されている。
【００１２】
主反射ミラー６２０は発光管５１０の発光点５１５からの光を反射させる。
【００１３】
このミラー付ランプを点灯したとき、発光点５１５から出た光は、図６の矢印に示すように反射面６２１で反射され点Ｐに集光する。
【００１４】
なお、図示しないが、主反射ミラー６２０に当らない光の一部を発光点５１５に向けて反射させるサブミラーを設け、サブミラーで反射され、発光点５１５を通過した光を再度主反射ミラー６２０で反射させるミラー付ランプも知られている。
【００１５】
【発明が解決しようとする課題】
図７は従来のミラー付ランプによる照明光の光量分布を示す図である。
【００１６】
この光量分布はミラー付ランプから出射された光を図５の右側から見たものであり、照明光が不均一であることがわかる。
【００１７】
図５からわかるように、発光点５１５から主反射ミラー５２０の中心点に向かう光は口金５１１，５１２によって遮られ、主反射ミラー５２０の中心点５２５の近傍で反射される光は僅かであるため、出射光の中央付近（図５の２本の点線で挟まれる範囲）で光量が不足するからである。
【００１８】
図６の他のミラー付ランプにおいても同様の理由によって照明光が不均一となる。
【００１９】
なお、上記したサブミラーを設けた場合には上記ミラー付ランプより光量を増加させることができるが、上記ミラー付ランプの場合と同様に照明光の光量分布は不均一になる。
【００２０】
この発明はこのような事情に鑑みてなされたもので、その課題は光量分布の均一性が高い照明光を得ることができるミラー付ランプを提供することである。
【００２１】
【課題を解決するための手段】
上記課題を解決するため請求項１記載の発明は、発光管の発光点からの光を反射させるための主反射ミラーを備えているミラー付ランプにおいて、前記主反射ミラーに当らない光の一部を反射させる第１サブミラーと、前記第１サブミラーで反射された光を前記主反射ミラーの反射方向と同じ方向へ反射させる第２サブミラーとを備えていることを特徴とする。
【００２２】
請求項２に記載の発明は、請求項１記載のミラー付ランプにおいて、前記第１サブミラーはリング状であることを特徴とする。
【００２３】
請求項３に記載の発明は、請求項１又は２記載のミラー付ランプにおいて、前記第２サブミラーは前記主反射ミラーの中心点と前記発光点とを結ぶ軸上に配置されていることを特徴とする。
【００２４】
請求項４に記載の発明は、請求項１〜３のいずれか１項記載のミラー付ランプにおいて、前記第２サブミラーの直径は前記主反射ミラーの中心点と前記発光点とを結ぶ軸方向から見た前記発光管の投影面の直径にほぼ等しいことを特徴とする。
【００２５】
【発明の実施の形態】
以下、この発明の実施の形態を図面に基づいて説明する。
【００２６】
図１はこの発明の第１実施形態に係るミラー付ランプの構成を説明する図である。
【００２７】
このミラー付ランプは発光管１０と主反射ミラー２０とリングリフレクタ（第１サブミラー）３０とセンタリフレクタ（第２サブミラー）４０とを備えている。
【００２８】
発光管１０の両端は口金１１，１２によって密閉されており、それぞれの口金１１，１２から発光点１５に向かって電極（図示せず）が延びている。また、図示しないが、電極は配線ケーブルを介して電源に接続されている。
【００２９】
発光管１０は主反射ミラー２０の反射面２１と開口面２２とで形成される空間内に、発光管１０の長手方向（電極が延びる方向）が主反射ミラー２０の中心点２５を通るように配置されている。
【００３０】
主反射ミラー２０は発光管１０の発光点１５からの光を反射させる。主反射ミラー２０で反射された光は図示のように主反射ミラー２０の中心点２５と発光点１５とを結ぶ軸に平行な平行光となる。
【００３１】
リングリフレクタ３０の反射面３１は凹面鏡となっている。このリングリフレクタ３０は主反射ミラー２０に当らない光（直接光という）の一部をセンタリフレクタ４０に向けて反射させる。
【００３２】
センタリフレクタ４０の反射面４１は凸面鏡となっている。センタリフレクタ４０はリングリフレクタ３０で反射された光を主反射ミラー２０の反射方向と同じ方向へ反射させる。センタリフレクタ４０は主反射ミラー２０の中心点２５と発光点１５とを結ぶ軸上に配置されている。
【００３３】
主反射ミラー２０、センタリフレクタ３０及びリングリフレクタ４０は、例えば光路となる所定の大きさの開口を形成した取付板（図示せず）を挟んで取り付けられる。取付板の一方の面に主反射ミラー２０、センタリフレクタ４０が取り付けられ、他方の面にリングリフレクタ３０が取り付けられる。
【００３４】
このミラー付ランプを点灯したとき、図１から分るように、口金１１，１２によって遮られず主反射ミラー２０に当った発光点１５からの光は主反射ミラー２０で平行光となって矢印のように反射される。
【００３５】
一方、主反射ミラー２０に当らない光の一部はリングリフレクタ３０で反射された後、センタリフレクタ４０で主反射ミラー２０で反射された光と同じ方向へ反射される。
【００３６】
図２は図１のＡ矢視図である。
【００３７】
主反射ミラー２０からの反射光を遮らないようにリングリフレクタ３０の内径ａは主反射ミラー２０の外径（反射面の直径）ｂより僅かに大きくなっている。
【００３８】
主反射ミラー２０の中心点２５と発光点１５と（図１参照）を結ぶ軸に平行な直接光を遮るようにセンタリフレクタ４０の直径ｃは主反射ミラー２０の中心点２５と発光点１５とを結ぶ軸方向から見た発光管１０の投影面の直径にほぼ等しくなっている。
【００３９】
図３はミラー付ランプによる照明光の光量分布を示す図である。
【００４０】
この光量分布はミラー付ランプから出射された光を図１の右側から見たものであり、ほぼ均一な照明光であることがわかる。
【００４１】
この光量分布は、リングリフレクタ３０の反射面幅ｄ（図１参照）、リングリフレクタ３０及びセンタリフレクタ４０の曲率、リングリフレクタ３０とセンタリフレクタ４０との相対的な位置関係を厳密に調整し、リングリフレクタ３０とセンタリフレクタ４０とで主反射ミラーに当らない光の一部を確実に捕捉することによって得られた。
【００４２】
この第１実施形態のミラー付ランプによれば、主反射ミラー２０の中心点２５の近傍で反射される光は僅かであるにもかかわらず、リングリフレクタ３０とセンタリフレクタ４０とで主反射ミラー２０に当らない光の一部が捕捉され、出射光の中央付近（図１の２本の破線で挟まれる範囲）で十分な光量を得ることができるため、光量分布の均一性が高い照明光を得ることができる。
【００４３】
図４はこの発明の第２実施形態に係るミラー付ランプの構成を説明する図であり、第１実施形態と共通する部分には同一符号を付してその説明を省略する。
【００４４】
る。
【００４５】
このミラー付ランプは発光管１０と主反射ミラー１２０とリングリフレクタ（第１サブミラー）１３０とセンタリフレクタ（第２サブミラー）１４０とを備えている。
【００４６】
主反射ミラー１２０は発光管１０の発光点１５からの光を反射させる。主反射ミラー１２０で反射された光は主反射ミラー１２０の中心点１２５と発光点１５とを結ぶ軸上の点Ｐに集光する。
【００４７】
リングリフレクタ１３０の反射面１３１は凹面鏡となっている。このリングリフレクタ１３０は主反射ミラー２０に当らない光の一部をセンタリフレクタ１４０に向けて反射させる。
【００４８】
センタリフレクタ１４０の直径は主反射ミラー２０の中心点１２５と発光点１５とを結ぶ軸方向から見た発光管１０の投影面の直径にほぼ等しくなっている。
【００４９】
センタリフレクタ１４０の反射面１４１は凹面鏡となっている。センタリフレクタ１４０はリングリフレクタ１３０で反射された光を主反射ミラー１２０の中心点１２５と発光点１５とを結ぶ軸上の点Ｐへ向けて反射させる。センタリフレクタ１４０は主反射ミラー１２０の中心点１２５と発光点１５とを結ぶ軸上に配置されている。
【００５０】
このミラー付ランプを点灯したとき、図４から分るように、口金１１，１２によって遮られず主反射ミラー１２０に当った発光点１５からの光は主反射ミラー２０で軸上の点Ｐへ向けて矢印のように反射される。
【００５１】
一方、主反射ミラー１２０に当らない光の一部はリングリフレクタ１３０で反射された後、センタリフレクタ１４０で主反射ミラー１２０で反射された光と同じく軸上の点Ｐ方向へ向けて反射される。
【００５２】
このミラー付ランプにおいても、リングリフレクタ１３０の反射面幅、リングリフレクタ１３０及びセンタリフレクタ１４０の曲率、リングリフレクタ１３０とセンタリフレクタ１４０との相対的な位置関係を厳密に調整することによってほぼ均一な照明光とすることができる。
【００５３】
この第２実施形態のミラー付ランプによれば、第１実施形態と同様の効果を奏する。
【００５４】
なお、上記各実施形態では、センタリフレクタ４０，１４０として凹面鏡や凸面鏡を用いたが、これらの鏡に限るものではなく、例えば平面や非球面の鏡面を有するものであってもよい。
【００５５】
【発明の効果】
以上に説明したようにこの発明のミラー付ランプによれば、光量分布の均一性が高い照明光を得ることができる。
【図面の簡単な説明】
【図１】図１はこの発明の第１実施形態に係るミラー付ランプの構成を説明する図である。
【図２】図２は図１のＡ矢視図である。
【図３】図３はミラー付ランプによる照明光の光量分布を示す図である。
【図４】図４はこの発明の第２実施形態に係るミラー付ランプの構成を説明する図である。
【図５】図５は従来のミラー付ランプの構成を説明する図である。
【図６】図６は従来の他のミラー付ランプの構成を説明する図である。
【図７】図７は従来のミラー付ランプによる照明光の光量分布を示す図である。
【符号の説明】
１０　発光管
１５　発光点
２０、１２０　主反射ミラー
２５，１２５　中心点
３０，１３０　リングリフレクタ（第１サブミラー）
４０，１４０　センタリフレクタ（第２サブミラー）
【図１】
2004063117.tif 000003
【図２】
2004063117.tif 000004
【図３】
2004063117.tif 000005
【図４】
2004063117.tif 000006
【図５】
2004063117.tif 000007
【図６】
2004063117.tif 000008
【図７】
2004063117.tif 000009